(57)【特許請求の範囲】
【請求項１】
使用者の鼻及び口を覆う大きさを有する本体部分と、
前記本体部分の左右方向の両側にそれぞれ取り付けられた一対の弾性体紐であって、各弾性体紐の一端は他端の上方に位置するように取り付けられ、一対の弾性体紐の各々を使用者の各耳に掛けることによって前記本体部分を使用者の鼻及び口に対して固定する一対の弾性体紐と、
からなるマスクであって、
前記弾性体紐の各々は、使用者が前記マスクを取り付けたときに、前記弾性体紐の各々の下方に位置する下方紐部分が使用者の鼻に向かってほぼ水平になるように、あるいは、使用者の耳の下から鼻に向かって上向きになるように、前記本体部分に対して取り付けられており、
前記本体部分の左右方向の両側には、上下方向における使用者の鼻の長さにほぼ等しい上下方向の長さを有する突出部分が形成されており、前記一対の弾性体紐の各々は前記突出部分の端部に取り付けられていることを特徴とするマスク。
【請求項２】
前記本体部分の上縁が使用者の鼻に接する位置と前記弾性体紐の前記一端が前記本体部分に取り付けられている位置との間は下方に凸の曲線形状に形成されていることを特徴とする請求項１に記載のマスク。
【請求項３】
前記曲線形状の最大深さは、前記本体部分が使用者の鼻に接する位置と前記弾性体紐の各々の一端との間の長さの少なくとも１０％であることを特徴とする請求項２に記載のマスク。
【請求項４】
前記本体部分が使用者の顎の最先端に接する位置と前記弾性体紐の前記他端が前記本体部分に取り付けられている位置との間には上方に凸の曲線形状が含まれることを特徴とする請求項１または２に記載のマスク。
【請求項５】
前記上方に凸の曲線形状の最大深さは、前記本体部分が使用者の顎に接する位置と前記弾性体紐の前記他端との間の長さの少なくとも１０％であることを特徴とする請求項４に記載のマスク。
【請求項６】
前記本体部分が使用者の鼻に接する位置と前記弾性体紐が使用者の耳の上に掛かる位置との間の長さと前記本体部分が使用者の顎の最先端に接する位置と前記弾性体紐が使用者の耳の下に掛かる位置との間の長さはほぼ等しいことを特徴とする請求項１乃至５の何れか一項に記載のマスク。
【請求項７】
前記突出部分は前記本体部分に対して取り外し可能であることを特徴とする請求項１乃至６の何れか一項に記載のマスク。
【発明の詳細な説明】
【技術分野】
【０００１】
本発明はマスクに関する。
【背景技術】
【０００２】
マスクの一例として実用新案登録第３２２１０９５号の登録実用新案公報に記載されたものがある。
図５は同公報に記載されたマスク１０の正面図、図６は使用状態を想定したマスク１０の斜視図である。
図５及び図６に示すように、マスク１０は、使用者の鼻及び口を覆う大きさを有する本体部分１１と、本体部分１１の左右方向の両側にそれぞれ取り付けられた一対のゴム紐１２Ａ、１２Ｂと、から構成されている。
【０００３】
本体部分１１は不織布製であり、その表面には横方向に延びるプリーツ１１Ａが複数個形成されている。図６に示すように、マスク１０の使用時にはマスク１０は立体形状をなしている。
図５に示すように、各ゴム紐１２Ａ、１２Ｂの一端は他端の上方に位置するように全体として半円状に取り付けられ、ゴム紐１２Ａ、１２Ｂの各々を使用者の各耳に掛けることによって、本体部分１１が使用者の鼻及び口に対して固定される。
図７はマスク１０を実際に着用したときの状態を横方向から見た図である。
【０００４】
マスク１０には、着用している間に下方にずれてしまい、鼻が露出してしまうという問題点があった。このような問題点が生じる理由は以下の通りである。
図７に示すように、マスク１０を着用すると、ゴム紐１２Ａの上方部分１２ＡＡは使用者の耳の上方に掛かり、ゴム紐１２Ａの下方部分１２ＡＢは使用者の耳の下方に掛かる。
この場合、マスク１０に代表される従来のマスクにおいては、ゴム紐１２Ａの上方部分１２ＡＡ及び下方部分１２ＡＢはともに下向きとなる。具体的には、ゴム紐１２Ａの上方部分１２ＡＡは使用者の耳の上方から下方向に傾斜した状態で伸び、ゴム紐１２Ａの下方部分１２ＡＢも、上方部分１２ＡＡと同様に、使用者の耳の下方から下方向に傾斜した状態で伸びる。
【０００５】
このため、ゴム紐１２Ａの上方部分１２ＡＡによる引張力とゴム紐１２Ａの下方部分１２ＡＢによる引張力との合力の作用線１３も矢印１４に示すように下向きとなる。この結果、使用者がマスク１０を着用している状態で口を動かすと、マスク１０の全体に下向きの力が作用することになり、時間の経過とともに、マスク１０は徐々に下向きに（矢印１４の方向に）ずり落ちることになる。
ゴム紐１２Ａ、１２Ｂの引張力を大きくすれば、マスク１０のずり落ちは解決できるかもしれないが，それでは、使用者の顔にゴム紐の痕が付き、使用者にとってはいいことではないので、ゴム紐１２Ａ、１２Ｂの引張力を大きくすることはマスク１０のずり落ちの解決策としては考慮しない。
【先行技術文献】
【特許文献】
【０００６】
【特許文献１】実用新案登録第３２２１０９５号の登録実用新案公報
【発明の概要】
【発明が解決しようとする課題】
【０００７】
本発明は、以上のような従来のマスクにおける問題点に鑑みてなされたものであり、この問題点を解決することが可能なマスクを提供することを目的とする。
【課題を解決するための手段】
【０００８】
上記の目的を達成するため、本発明は、使用者の鼻(130)及び口(140)を覆う大きさを有する本体部分(110)と、前記本体部分の左右方向の両側にそれぞれ取り付けられた一対の弾性体紐(121, 122)であって、各弾性体紐の一端(121A, 122A)は他端(121B, 122B)の上方に位置するように取り付けられ、一対の弾性体紐の各々を使用者の各耳(150)に掛けることによって前記本体部分を使用者の鼻及び口に対して固定する一対の弾性体紐(121, 122)と、からなるマスクであって、前記弾性体紐(121, 122)の各々は、使用者が前記マスク(100)を取り付けたときに、前記弾性体紐の各々の下方に位置する下方紐部分(121C, 122C)が使用者の鼻(130)に向かってほぼ水平になるように、あるいは、使用者の耳(150)の下から鼻(130)に向かって上向きになるように、前記本体部分(110)に対して取り付けられており、前記本体部分の左右方向の両側には、上下方向における使用者の鼻の長さにほぼ等しい上下方向の長さを有する突出部分(320)が形成されており、前記一対の弾性体紐の各々は前記突出部分(320)に取り付けられていることを特徴とするマスクを提供する。
【０００９】
前記本体部分の上縁が使用者の鼻に接する位置(210A)と前記弾性体紐の前記一端(121A, 122A)が前記本体部分に取り付けられている位置(210B)との間は下方に凸の曲線形状(215)に形成されていることが好ましい。
前記曲線形状(215)の最大深さは、前記本体部分が使用者の鼻に接する位置(210A)と前記弾性体紐の各々の一端(121A, 122A)との間の長さの少なくとも１０％であることが好ましい。
【００１０】
前記本体部分が使用者の顎の最先端に接する位置(210C)と前記弾性体紐の前記他端(121B, 122B, 210D)が前記本体部分に取り付けられている位置(210D)との間には上方に凸の曲線形状が含まれることが好ましい。
前記上方に凸の曲線形状(216)の最大深さは、前記本体部分が使用者の顎に接する位置(210C)と前記弾性体紐の前記他端(121B, 122B, 210D)との間の長さの少なくとも１０％であることが好ましい。
【００１１】
前記本体部分が使用者の鼻に接する位置(210A)と前記弾性体紐が使用者の耳の上に掛かる位置(210F)との間の長さと前記本体部分が使用者の顎の最先端に接する位置(210E)と前記弾性体紐が使用者の耳の下に掛かる位置(210G)との間の長さはほぼ等しいことが好ましい。
前記突出部分は前記本体部分に対して取り外し可能であるように構成することができる。
なお、括弧内の参照符号は特許請求の範囲の各請求項における各構成要素と以下に述べる実施形態との対応関係を示すために参考として付したものであり、権利範囲を制限するものではない。
【発明の効果】
【００１２】
図７に示したように、従来のマスク１０を着用すると、ゴム紐１２Ａの上方部分１２ＡＡ及び下方部分１２ＡＢはともに下向きとなるため、ゴム紐１２Ａの上方部分１２ＡＡ及び下方部分１２ＡＢによる引張力も矢印１４に示すように下向きとなる。このため、使用者がマスク１０を着用している状態で口を動かすと、マスク１０の全体に下向きの力が作用することになり、マスク１０は徐々に下向きに（矢印１４の方向に）ずり落ちてしまうこととなっていた。
【００１３】
これに対して、本発明に係るマスクにおいては、弾性体紐の各々の下方に位置する下方紐部分は横方向から見たときに使用者の鼻の高さの範囲内に位置し、かつ、ほぼ水平方向に伸びるように設定されている。このため、下方紐部分はその延長線上にある使用者の鼻を引っ張ることになり、加えて、弾性体紐の各々の上方に位置する上方紐部分が本体部分の上端及び下端を上方向に引き上げる方向に本体部分に対して引張力を作用させるので、従来のマスク１０とは異なり、本発明に係るマスクには下方にずり落ちる力は作用しない。
このように、本発明に係るマスクは、着用している間に徐々に本体部分がずり落ちてくるという従来のマスク１０における問題点を解決することが可能である。
【図面の簡単な説明】
【００１４】
【図１】本発明の第一の実施形態に係るマスクを着用したときの横方向から見た図である。
【図２】本発明の第一の実施形態に係るマスクの変形例に係るマスクの着用状態を横方向から見た図である。
【図３】本発明の第二の施形態に係るマスク２００を着用したときの横方向から見た図である。
【図４】本発明の第三の実施形態に係るマスクを着用したときの横方向から見た図である。
【図５】従来のマスクの正面図である。
【図６】図５に示した従来のマスクの使用状態を想定した場合の斜視図である。
【図７】図５に示した従来のマスクを実際に着用したときの状態を横方向から見た図である。
【発明を実施するための形態】
【００１５】
（第一の実施形態）
図１は本発明の第一の実施形態に係るマスク１００を着用したときの横方向から見た図である。
本実施形態に係るマスク１００は、使用者の鼻１３０及び口１４０を覆う大きさを有する本体部分１１０と、本体部分１１０の左右方向の両側にそれぞれ取り付けられた一対の弾性体紐１２１、１２２（図１においては、弾性体紐１２１のみ図示）と、から構成されている。
本体部分１１０は、例えば、不織布製であり、図６に示した従来のマスク１０と同様に、使用者の鼻１３０及び口１４０を覆うことが可能な形状をなしている。
【００１６】
図１に示すように、各弾性体紐１２１、１２２の一端１２１Ａ，１２２Ａは他端１２１Ｂ，１２２Ｂの上方に位置するように各弾性体紐１２１、１２２が全体として半円状（または、横向きのＵ字形）に取り付けられ、弾性体紐１２１、１２２の各々を使用者の各耳１５０に掛けることによって、本体部分１１０が使用者の鼻１３０及び口１４０に対して固定されるようになっている。
本実施形態に係るマスク１００においては、図１に示すように、弾性体紐１２１、１２２の各々は、使用者がマスク１００を取り付けたときに、弾性体紐１２１、１２２の各々の下方に位置する下方紐部分１２１Ｃ、１２２Ｃが使用者の鼻１３０に向かってほぼ水平になるように本体部分１１０に対して取り付けられている。
【００１７】
具体的には、弾性体紐１２１、１２２の各々の下方紐部分１２１Ｃ、１２２Ｃは横方向から見たときに使用者の鼻１３０の高さの範囲内に位置し、かつ、ほぼ水平方向に伸びるようになっている。
ここで、「ほぼ水平方向」とは、水平方向に対して±５度の傾斜の範囲内にあることを意味する。この傾斜の範囲内であれば、下方紐部分１２１Ｃ、１２２Ｃが水平方向に伸びている状態とほぼ同じ効果を得ることができる。
図７に示したように、従来のマスク１０を着用すると、ゴム紐１２Ａの上方部分１２ＡＡ及び下方部分１２ＡＢはともに下向きとなるため、ゴム紐１２Ａの上方部分１２ＡＡによる引張力とゴム紐１２Ａの下方部分１２ＡＢによる引張力との合力の作用線１３も矢印１４に示すように下向きとなる。このため、使用者がマスク１０を着用している状態で口を動かすと、マスク１０の全体に下向きの力が作用することになり、マスク１０は徐々に下向きに（矢印１４の方向に）ずり落ちてしまうこととなっていた。
【００１８】
これに対して、本実施形態に係るマスク１００においては、弾性体紐１２１、１２２の各々の下方に位置する下方紐部分１２１Ｃ、１２２Ｃは横方向から見たときに使用者の鼻１３０の高さの範囲内に位置し、かつ、ほぼ水平方向に伸びるように設定されている。このため、下方紐部分１２１Ｃ、１２２Ｃはその延長線上にある使用者の鼻１３０を引っ張ることになり、加えて、弾性体紐１２１、１２２の各々の上方に位置する上方紐部分１２１Ｄ、１２２Ｄが本体部分１１０の上端及び下端を上方向に引き上げる方向に本体部分１１０に対して引張力を作用させるので、従来のマスク１０とは異なり、マスク１００には下方にずり落ちる力は作用しない。
以上のように、本実施形態に係るマスク１００は、着用している間に徐々に本体部分１１がずり落ちてくるという従来のマスク１０における問題点を解決することが可能であり、マスク１００がずり落ちてくるという不安感を解消し、安心して長時間にわたってマスク１００を着用することができる。
【００１９】
なお、本実施形態に係るマスク１００は上記の構造に限定されるものではなく、種々の改変が可能である。
本実施形態に係るマスク１００においては、弾性体紐１２１、１２２の各々の下方紐部分１２１Ｃ、１２２Ｃは横方向から見たときにほぼ水平方向に伸びるように設定されているが、下方紐部分１２１Ｃ、１２２Ｃが伸びる方向はこれには限定されない。
図２は第一の実施形態に係るマスク１００の変形例に係るマスク１００Ａの着用状態を横方向から見た図である。
【００２０】
図２に示すように、弾性体紐１２１、１２２の各々の下方に位置する下方紐部分１２１Ｃ、１２２Ｃは横方向から見たときに使用者の耳１５０の下から鼻１３０に向かって上向きになるように、本体部分１１０に対して取り付けることも可能である。
下方紐部分１２１Ｃ、１２２Ｃを使用者の鼻１３０に向かって上向きに取り付けることによっても、第一の実施形態と同様の効果を得ることができる。
例えば、各弾性体紐１２１、１２２の他端（下端）１２１Ｂ，１２２Ｂの位置が図１に示した位置よりも上になるように他端（下端）１２１Ｂ，１２２Ｂの位置を決定することにより、各弾性体紐１２１、１２２の下方紐部分１２１Ｃ、１２２Ｃが使用者の鼻１３０に向かって上向きになるようにすることができる。
なお、本体部分１１０の形状は図１に示したような立体的（三次元的）形状に限定されるのではなく、正面視で横に長い長方形のような二次元的形状であってもよく、特定の形状には限定されない。
【００２１】
（第二の実施形態）
上述の第一の実施形態に係るマスク１００は弾性体紐１２１、１２２の下方紐部分１２１Ｃ、１２２Ｃの向きを使用者の鼻１３０に向かって水平方向に設定するか、あるいは、使用者の鼻１３０に向かって上向きに設定することにより、マスク１００がずり落ちることを防止するものであった。
以下に述べる第二の実施形態に係るマスク２００は、弾性体紐１２１、１２２の下方紐部分１２１Ｃ、１２２Ｃの向きに加えて、本体部分１１０の形状を特定の形状にすることによってもマスク２００のずり落ちを防止するものである。
図３は本実施形態に係るマスク２００を着用したときの横方向から見た図である。
【００２２】
図３に示すように、マスク２００の本体部分２１０の上端が使用者の鼻１３０に接する位置２１０Ａと弾性体紐１２１、１２２の一端１２１Ａ，１２２Ａが本体部分２１０に取り付けられている位置２１０Ｂとの間においては、本体部分２１０は下方に凸の曲線形状２１５に形成されている。
同様に、本体部分２１０が使用者の顎に接する位置２１０Ｃと弾性体紐１２１、１２２の下端１２１Ｂ，１２２Ｂが本体部分２１０に取り付けられている位置２１０Ｄとの間においては、本体部分２１０は上方に凸の曲線形状２１６に形成されている。
本体部分２１０が使用者の鼻１３０に接する位置２１０Ａと弾性体紐１２１、１２２の一端１２１Ａ，１２２Ａが本体部分２１０に取り付けられている位置２１０Ｂとを結ぶ直線をＬ１とすると、直線Ｌ１に対する曲線形状２１５の最大深さＤ１は、直線Ｌ１の長さの１０％から２０％の範囲内に設定されている。
【００２３】
同様に、本体部分２１０が使用者の顎に接する位置２１０Ｃと弾性体紐１２１、１２２の下端１２１Ｂ，１２２Ｂが本体部分２１０に取り付けられている位置２１０Ｄとを結ぶ直線をＬ２とすると、直線Ｌ２に対する曲線形状２１６の最大深Ｄ２さは、直線Ｌ２の長さの１０％から２０％の範囲内に設定されている。
さらに、位置２１０Ａと弾性体紐１２１、１２２の上方に位置する上方紐部分１２１Ｄ、１２２Ｄが使用者の耳１５０の上に掛かる位置２１０Ｆとを結ぶ直線Ｌ３とすると、直線Ｌ３に対する曲線形状２１５の最大深さＤ３は、直線Ｌ３の長さの１５％乃至２０％の範囲内になるように設定されている。最も好ましくは１５％である。
【００２４】
同様に、位置２１０Ｃと弾性体紐１２１、１２２の下方に位置する下方紐部分１２１Ｃ、１２２Ｃが使用者の耳１５０の下に掛かる位置２１０Ｇとを結ぶ直線をＬ４とすると、直線Ｌ４に対する曲線形状２１６の最大深さＤ４は、直線Ｌ４の長さの２０％乃至２５％の範囲内になるように設定されている。最も好ましくは２０％である。
このように、本体部分２１０の上下の辺において曲線形状２１５、２１６を形成することにより、弾性体紐１２１、１２２の引張力に依存せずに、各位置２１０Ａと２１０Ｆとの間及び各位置２１０Ｃと２１０Ｇとの間で相互に引っ張り合うことになるため、本体部分２１０のずり落ちを防止することができるとともに、本体部分２１０の生地と使用者の肌との間の隙間を減らすことも可能である。
【００２５】
特に、図３に示すように、位置２１０Ａと位置２１０Ｆとは、マスク２００を着用したときに、ほぼ同じ高さに位置するように設定されており、相互に引っ張り合う力を最大化することが可能である。
また、本実施形態に係るマスク２００においては、位置２１０Ａと位置２１０Ｆとの間の長さと、使用者の顎の最先端の位置２１０Ｅと位置２１０Ｇとの間の長さとはほぼ等しく設定されている。このように双方の長さをほぼ等しく設定することにより、マスク２００の本体部分２１０がずれにくくするようにすることができる。特に、位置２１０Ｅを上の方にずらすほど（すなわち、本体部分２１０の下端が使用者の顎にかからないようにするほど）、本体部分２１０のずり落ちを防止することが可能になる。
なお、「ほぼ等しく」とは一方が他方の±５％の範囲内にあることを指す。
【００２６】
また、曲線形状２１５、２１６を伴う切込みを本体部分２１０に設けることにより、そのような切込みを設けない場合と比較して、本体部分２１０が使用者の顔を覆う面積が減少する。
さらに、本実施形態に係るマスク２００においては、弾性体紐１２１、１２２の下端１２１Ｂ，１２２Ｂが本体部分２１０に取り付けられている位置２１０Ｄは従来のマスク１０よりも高い位置に設定されている。このため、使用者の顎、首、鰓の付近を本体部分２１０が覆う面積は従来のマスク１０よりも小さくなっている。
このように、使用者にとっては、顔面に熱がこもる面積（すなわち、本体部分２１０によって覆われている面積）が減少することになるため、顔面に熱がこもることを減らすことができる。特に、暑い時期には有効である。
本体部分２１０の位置２１０Ｃと使用者の顎の先端位置２１０Ｅとの間における本体部分２１０の形状は直線状であってもよく、あるいは、上方または下方に凸の曲線形状をなしていてもよい。なお、本体部分２１０の位置２１０Ｄから位置２１０Ｅにかけて下方に凸の曲線形状を形成することにすることも可能である。
【００２７】
（第三の実施形態）
図４は本発明の第三の実施形態に係るマスク３００を着用したときの横方向から見た図である。
本実施形態に係るマスク３００は第一の実施形態に係るマスク１００と比較して、一対の突出部分３２０を備えている。
図４に示すように、各突出部分３２０は本体部分３１０の左右方向の両側から外側に向って延びており、矩形形状をなしている（突出部分３２０と本体部分３１０との間の境界線が破線で示されている）。各突出部分３２０の高さ（図４における上下方向の長さ）は使用者の鼻１３０の長さ（図４における上下方向の長さ）にほぼ等しくなるように設定されている。一対の弾性体紐１２１、１２２の上端１２１Ａ（１２２Ａ）及び下端１２１Ｂ（１２２Ｂ）は各突出部分３２０に上下方向に取り付けられている。
【００２８】
「ほぼ等しく」とは各突出部分３２０の高さが使用者の鼻１３０の長さの±５％の範囲内にあることを指す。
一対の弾性体紐１２１、１２２の下方紐部分１２１Ｃ、１２２Ｃの各々は、第一の実施形態の場合と同様に、使用者の鼻１３０に向ってほぼ水平に、あるいは、使用者の鼻１３０に向って上向きに設定されている。
突出部分３２０を設けることにより、一対の弾性体紐１２１、１２２の取り付け位置を容易に判定することが可能になる。
また、突出部分３２０と本体部分３１０とを、例えば、スナップやボタンなどを介して、取り外し可能に形成しておくことによって、本体部分３１０を他のものに交換することも可能になる。
【産業上の利用可能性】
【００２９】
本発明に係るマスクは、着用にしている間に徐々にずり落ちることを防止するものであるため、マスク着用時の利便性を大幅に向上させるものである。
【符号の説明】
【００３０】
１００  第一の実施形態に係るマスク
１１０  本体部分
１２１、１２２  弾性体紐
１３０  鼻
１４０  口
１５０  耳
１００Ａ  第一の実施形態の変形例に係るマスク
２００  第二の実施形態に係るマスク
２１０  本体部分
２１５、２１６  曲線形状
３００  第三の実施形態に係るマスク
３２０  突出部分
【要約】
【課題】着用中にマスクがずり落ちることを防止する。
【解決手段】マスク１００の弾性体紐１２１、１２２の各々は、使用者がマスク１００を取り付けたときに、弾性体紐１２１、１２２の各々の下方に位置する下方紐部分１２１Ｃ、１２２Ｃが使用者の鼻１３０に向かってほぼ水平になるように、本体部分１１０に対して取り付けられている。
【選択図】図１【図１】
0006873521.tif 000002
【図２】
0006873521.tif 000003
【図３】
0006873521.tif 000004
【図４】
0006873521.tif 000005
【図５】
0006873521.tif 000006
【図６】
0006873521.tif 000007
【図７】
0006873521.tif 000008